(57)【要約】      （修正有）【課題】基地局及びサーバからなる通信システムにおいて、端末が接続不能となることが大幅に抑制された情報通知システムを提供する。【解決手段】携帯端末２０との無線通信のための第１のチャネル群及び第２のチャネル群からなる通信チャネルを有する基地局３０と、通信回線によって基地局に接続され、第１のチャネル群のうち無線通信に利用中のチャネル数が所定数を超えた場合、携帯端末に対して、第２のチャネル群を用いて第１のチャネル群の通信チャネルの利用状況を示す情報を通知するサーバ４０と、を有する。【選択図】図１
2015192375.tif 000002
【特許請求の範囲】
【請求項１】
携帯端末との無線通信のための第１のチャネル群及び第２のチャネル群からなる通信チャネルを有する基地局と、
通信回線によって前記基地局に接続され、前記第１のチャネル群のうち前記無線通信に利用中のチャネル数が所定数を超えた場合、前記携帯端末に対して、前記第２のチャネル群を用いて前記第１のチャネル群の通信チャネルの利用状況を示す情報を通知するサーバと、を有することを特徴とする情報通知システム。
【請求項２】
前記携帯端末は、前記基地局に対して新たに接続要求を行った携帯端末であることを特徴とする請求項１に記載の情報通知システム。
【請求項３】
携帯端末との無線通信のための第１のチャネル群及び第２のチャネル群からなる通信チャネルを有する基地局との通信を行う通信部と、
前記第１のチャネル群のうち前記無線通信に利用中のチャネル数が第１の所定数を超えた場合、前記携帯端末に対して、前記第２のチャネル群を用いて前記第１のチャネル群の通信チャネルの利用状況を示す情報を送信する利用状況管理部と、を有することを特徴とするサーバ。
【請求項４】
前記携帯端末は、前記基地局に対して新たに接続要求を行った携帯端末であることを特徴とする請求項３に記載のサーバ。
【請求項５】
前記利用状況を示す情報は、前記第１のチャネル群の通信チャネルの利用率を示す文字情報を含むことを特徴とする請求項３又は４に記載のサーバ。
【請求項６】
前記利用状況を示す情報は、前記携帯端末の位置情報及び前記基地局と通信中の他端末の位置情報がマッピングされたマッピング情報を含むことを特徴とする請求項３乃至５のいずれか１つに記載のサーバ。
【請求項７】
前記マッピング情報は、前記基地局及び隣接する複数の基地局のカバーエリアを示す情報を含むことを特徴とする請求項６に記載のサーバ。
【請求項８】
前記基地局を管理する基地局管理部を有し、
前記基地局管理部は、前記第１のチャネル群のうち前記無線通信に利用中のチャネル数が前記第１の所定数を超えた後に第２の所定数未満となった場合、前記携帯端末との前記第１のチャネル群を用いた通信を開始することを指定する信号を前記基地局に送信することを特徴とする請求項３乃至７のいずれか１つに記載のサーバ。
【請求項９】
前記基地局管理部によって通信が開始される前記携帯端末は、前記基地局に対し新たに接続要求を行った携帯端末であることを特徴とする請求項８に記載のサーバ
【請求項１０】
前記基地局管理部は、前記第２のチャネル群のうち、前記利用状況を示す情報の送信に利用中のチャネル数が第３の所定数を超えた場合、前記第２のチャネル群のチャネル数を調節することを特徴とする請求項８に記載のサーバ。
【請求項１１】
前記サーバは、前記第２のチャネル群のうち、前記利用状況を示す情報の送信に利用中のチャネル数が第３の所定数を超えた場合、前記基地局に新たに接続要求を行った携帯端末に対して、インターネット回線を用いて前記利用状況を示す情報を送信することを特徴とする請求項３乃至１０のいずれか１つに記載のサーバ。
【請求項１２】
前記混雑情報管理部は、前記通信チャネルの利用状況を定期的に確認することを特徴とする請求項３乃至１１のいずれか１つに記載のサーバ。
【請求項１３】
サーバを、
携帯端末との無線通信のための第１のチャネル群及び第２のチャネル群からなる通信チャネルを有する基地局との通信を行う通信手段と、
前記第１のチャネル群のうち前記無線通信に利用中のチャネル数が第１の所定数を超えた場合、前記携帯端末に対して、前記第２のチャネル群を用いて前記第１のチャネル群の通信チャネルの利用状況を示す情報を送信する利用状況管理手段と、として機能させることを特徴とするプログラム。
【請求項１４】
前記サーバを、前記利用状況を示す情報を前記携帯端末が表示する表示情報に変換する処理手段として機能させることを特徴とする請求項１３に記載のプログラム。
【請求項１５】
携帯端末を、
携帯端末との無線通信のための第１のチャネル群及び第２のチャネル群からなる通信チャネルを有する基地局との通信を行い、サーバから前記第２のチャネル群を用いて送信された前記第１のチャネルの通信チャネルの利用状況を示す情報を受信する通信手段と、
前記利用状況を示す情報を表示情報に変換する処理手段と、
前記表示情報を文字情報又はマッピング情報として表示する表示手段と、として機能させることを特徴とするプログラム。
【発明の詳細な説明】
【技術分野】
【０００１】
本発明は、情報通知システムに関し、特に、当該通知システムを構成するサーバ及び基地局と、サーバ並びにプログラムに関する。
【背景技術】
【０００２】
従来から、携帯端末などと無線通信を行う基地局において、そのカバーエリアのチャネルの利用状況を通知するシステムが提案されている。例えば特許文献１には、ＧＰＳ機能を有する移動局を用いて、ユーザが指定するエリアの混雑状況を提供する通信システムが開示されている。
【先行技術文献】
【特許文献】
【０００３】
【特許文献１】特開2013-176012号公報
【発明の概要】
【発明が解決しようとする課題】
【０００４】
例えば携帯電話（セルフォン）やスマートフォンなどの携帯用通信端末は、その情報処理能力などの進歩により、現在の生活には不可欠なツールとなっている。例えば、通話のみならず、電子メールやウェブ閲覧などのデータ通信は、携帯端末を用いて行うのが主流になってきた。また、近年においては、一人が一台の携帯端末を持つことも一般的になりつつある。
【０００５】
このような背景などから、例えば都市部などの人口密集地においては一時的に通信ネットワーク回線が混雑し、端末が通信不能となることがあった。例えば基地局のカバーエリア（セル）内の接続端末数が一定以上になると、それ以降に端末が接続を試みても通信不能となる場合があった。また、セルの範囲は、その接続端末数によって変化することがある（セルブリージングともいう）。従って、実際のカバーエリアは接続するタイミングによって異なる。このため、例えばセル内でもセル端部付近において通信している端末は、接続端末数の増加によって通信不能となる可能性がある。
【０００６】
このような通信不能となる状況は、都市部のみならず、例えばコンサート会場など一時的に人が集まる場所や、災害時などのセル内のほぼ全ての端末が同時に通信を試みる場合にも起こり得る。この状況では、ユーザは、基地局との通信を行うことができないため、ネットワーク回線の利用状況を知ることもできない。また、どうすれば基地局との接続が確立されるのかが不明であるため、ユーザに大きな不安感を与えることとなる。
【０００７】
本発明は上記した点に鑑みてなされたものであり、基地局及びサーバからなる情報通知システムにおいて、端末が接続不能となることが大幅に抑制された情報通知システムを提供することを目的としている。また、通常の通信が確立されない端末に確実に利用状況を通知することが可能な通知システムを提供することを目的としている。また、通常の通信が確立されない端末に対して確実に利用状況及び回線混雑時の混雑回避用情報を通知するサーバ及びサーバ用プログラムと、通知された混雑状況を表示する端末用プログラムと、を提供することを目的としている。
【課題を解決するための手段】
【０００８】
本発明による情報通知システムは、携帯端末との無線通信のための第１のチャネル群及び第２のチャネル群からなる通信チャネルを有する基地局と、通信回線によって基地局に接続され、第１のチャネル群のうち無線通信に利用中のチャネル数が所定数を超えた場合、携帯端末に対して、第２のチャネル群を用いて第１のチャネル群の通信チャネルの利用状況を示す情報を通知するサーバと、を有することを特徴としている。
【０００９】
また、本発明によるサーバは、携帯端末との無線通信のための第１のチャネル群及び第２のチャネル群からなる通信チャネルを有する基地局との通信を行う通信部と、第１のチャネル群のうち無線通信に利用中のチャネル数が第１の所定数を超えた場合、携帯端末に対して、第２のチャネル群を用いて第１のチャネル群の通信チャネルの利用状況を示す情報を送信する利用状況管理部と、を有することを特徴としている。
【００１０】
また、本発明によるプログラムは、サーバを、携帯端末との無線通信のための第１のチャネル群及び第２のチャネル群からなる通信チャネルを有する基地局との通信を行う通信手段と、第１のチャネル群のうち無線通信に利用中のチャネル数が第１の所定数を超えた場合、携帯端末に対して、第２のチャネル群を用いて第１のチャネル群の通信チャネルの利用状況を示す情報を送信する利用状況管理手段と、として機能させることを特徴としている。
【００１１】
また、本発明によるプログラムは、携帯端末を、携帯端末との無線通信のための第１のチャネル群及び第２のチャネル群からなる通信チャネルを有する基地局との通信を行い、サーバから第２のチャネル群を用いて送信された第１のチャネルの通信チャネルの利用状況を示す情報を受信する通信手段と、利用状況を示す情報を表示情報に変換する処理手段と、表示情報を文字情報又はマッピング情報として表示する表示手段と、として機能させることを特徴としている。
【図面の簡単な説明】
【００１２】
【図１】（ａ）は、実施例１に係る通知システムの構成を示すブロック図であり、（ｂ）は、実施例１に係る通知システムの基地局内における通信チャネルの構成を示す図である。
【図２】実施例１に係る通知システムのサービスフローを示すフロー図である。
【図３】臨時チャネル群を用いた利用状況通知処理のフロー図である。
【図４】（ａ）は基地局とサーバとの関係を示すブロック図であり、（ｂ）及び（ｃ）は、それぞれサーバ内に保管されている基地局情報及び局内端末情報の構成例を示す図である。
【図５】（ａ）及び（ｂ）は、通知された利用情報を表示している状態における携帯端末の表示部を示す図である。
【図６】サーバが行うチャネル状況の定期確認とそれに伴う基地局に対する処理フローを示すフロー図である。
【図７】チャネル状況の定期確認における基地局及びサーバの処理フローを示すフロー図である。
【図８】汎用チャネル群を用いた通常の接続処理を行う場合のフロー図である。
【図９】端末の通信切断処理を行う場合のフロー図である。
【図１０】端末の登録及びその削除時におけるサーバの処理フローを示すフロー図である。
【図１１】実施例１の変形例に係る通知システムの構成を示すブロック図である。
【図１２】変形例に係る通知システムのサービスフローを示すフロー図である。
【図１３】変形例に係る通知システムにおけるインターネットを用いた利用情報の送信フローを示すフロー図である。
【図１４】（ａ）は、実施例２に係るサーバ及びサーバ用プログラムの相互関係を示すブロック図であり、（ｂ）は実施例２に係る端末及び端末用プログラムの相互関係を示すブロック図である。
【発明を実施するための形態】
【００１３】
以下に本発明の実施例について詳細に説明する。
【実施例１】
【００１４】
図１（ａ）は、実施例１に係る情報通知システム（以下、単に通知システムという）１０の構成を示すブロック図である。通知システム１０は、携帯端末２０の位置を含むカバーエリアを有する基地局３０と、基地局３０に接続されたサーバ４０と、からなる。なお、本実施例においては、携帯端末（以下、単に端末ともいう）２０は、例えば、携帯電話（セルフォン）、スマートフォン及びタブレット端末など、基地局３０との無線通信を行う電子機器である。端末２０は、基地局３０との通信を行う通信部２１と、通信部２１からの信号を処理する処理部２２と、処理部２２によって処理された情報を表示する表示部２３と、を有している。端末２０は、自身の番号情報や現在地情報などの自端末情報２４をデータベースとして有している。また、端末２０は、方角や道路、建物の位置情報などの地理的情報２５を有している。
【００１５】
基地局３０は、そのカバーエリア内において、電波網によって端末２０との無線通信を行う。基地局３０は端末２０を含む複数の端末と同時に通信を行うことが可能である。基地局３０は、端末２０及びサーバ４０との通信を行う通信部３１と、基地局３０内の通信チャネル（以下、単にチャネルという）３３を管理するチャネル管理部３２と、を有している。また、基地局３０は、自身の位置情報やカバーエリア情報などの自局情報３４をデータベースとして有している。チャネル３３は、携帯端末との無線通信に用いられる。
【００１６】
サーバ４０は、光ケーブルなどのインターネット回線（通信回線）によって基地局３０に接続され、基地局３０との通信を行う。サーバ４０は、基地局３０を含む複数の基地局を管理する。サーバ４０は、基地局３０との通信を行う通信部４１と、基地局３０におけるチャネル３３の利用状況を示す情報を管理する利用状況管理部４２と、サーバ４０内の情報及び受信された信号を処理する処理部４３と、を有している。また、サーバ４０は、サーバ４０に接続された基地局のチャネルや接続処理の管理及び制御を行う基地局管理部４２Ａを有している。なお、基地局管理部４２Ａは、基地局３０のチャネル管理部３２と同様の機能を有していてもよい。すなわち、基地局管理部４２Ａは、基地局３０内のチャネル３３を管理する機能を有していてもよい。
【００１７】
サーバ４０は、基地局３０の位置情報やカバーエリア情報、チャネルの利用状況などの基地局情報４４をデータベースとして有している。また、サーバ４０は、基地局３０のカバーエリア内で通信している端末の番号や位置情報などの局内端末情報４５をデータベースとして有している。サーバ４０は、端末２０及び基地局３０の位置情報、カバーエリア情報などの地理的情報４６を有している。
【００１８】
図１（ｂ）は、基地局３０のチャネル３３の構成を示す図である。本実施例においては、基地局３０が２００００個のチャネル３３を有する場合について説明する。チャネル３３は、汎用チャネル群（第１のチャネル群）３３Ａ及び臨時チャネル群（第２のチャネル群）３３Ｂからなる。汎用チャネル群３３Ａは、音声通話や電子メールなどの通常の通信に用いられるチャネル群である。
【００１９】
臨時チャネル群３３Ｂは、汎用チャネル群３３Ａの空きチャネル数が少ない場合（汎用チャネル群３３Ａのうち、端末との無線通信に利用中のチャネル数が所定数を超えた場合、すなわち混雑時又は非常時）に用いられるチャネル群である。すなわち、臨時チャネル群３３Ｂは、汎用チャネル群３３Ａの空きチャネル数が少なく、新たな端末２０からの接続要求を受けられない場合に端末２０に利用状況を通知するのに用いられる。本実施例においては、２００００個のチャネルの内、１９８００個のチャネルが汎用チャネル群３３Ａとして機能し、２００個のチャネルが臨時チャネル群３３Ｂとして機能する。このチャネル３３の数量並びに汎用及び臨時チャネル群３３Ａ及び３３Ｂの数は、基地局３０のチャネル管理部３２及びサーバ４０の基地局管理部４２Ａによって調整（決定及び増減）される。
【００２０】
図２は、通知システム１０によるサービスフローを示すフロー図である。まず、ステップＳ１０において、端末２０からの接続要求を受信する。通知システム１０は、端末２０からの接続要求に対する処理を決定する条件分岐Ｊ１０を行う。具体的には、条件分岐Ｊ１０のステップにおいては、汎用チャネル群３３Ａの空き数によって（条件分岐Ｊ１１）、及び臨時チャネル群３３Ｂの空き数によって（条件分岐Ｊ１２）、処理の選択を行う。通知システム１０は、基地局３０の汎用チャネル群３３Ａの空きチャネル数が少なく、臨時チャネル群３３Ｂの空きチャネル数が多い場合、臨時チャネル群３３Ｂを用いて端末２０に利用状況を通知する（ステップＳ２０）。具体的には、通知システム１０のサーバ４０は、汎用チャネル群３３Ａのうち、無線通信に利用中のチャネル数が所定数Ｘ（第１の所定数、通信限界数）を超えた場合、基地局３０に対して新たに接続要求を行った端末２０に対して、汎用チャネル群３３Ａのチャネル３３の利用状況を示す情報を通知する。この利用状況を示す情報（以下、利用情報と称する場合がある）の通知は臨時チャネル群３３Ｂを用いて行われる。
【００２１】
なお、通知システム１０は、汎用チャネル３３群Ａのうちの利用可能チャネル数が多い場合（通常時、条件分岐Ｊ１１がＹｅｓの場合）、新たに接続要求を行った端末２０との通常の通信を行う通信システムとして機能する。具体的には、通知システム１０は、汎用チャネル群３３Ａを用いて端末２０との通信を開始し、端末２０の端末情報がサーバ４０に登録される（ステップＳ３０）。また、端末３０が通信を終了（切断）すると、通知システム１０は切断処理を行い、登録されていた端末３０の端末情報がサーバ４０から削除される。
【００２２】
また、汎用チャネル群３３Ａの空きチャネル数が少なく、臨時チャネル群３３Ｂの空きチャネル数少ない場合（条件分岐Ｊ１２がＮｏの場合）、通知システム１０は通知システムとしても通信システムとしても機能することができない。これは、汎用チャネル群３３Ａのうち、無線通信に利用中のチャネル数が所定数Ｘを超えており、臨時チャネル群３３Ｂのうち、利用情報の送信に利用中のチャネル数が所定数Ｙ（第３の所定数、通知限界数）を超えた場合である。このとき、基地局３０は、端末２０からの接続要求に対して応答不能となる（ステップＳ５０）。従って、端末２０は、基地局３０との接続が確立されず、接続不能となる。
【００２３】
しかし、臨時チャネル群３３Ｂの空きチャネル数が少なくなる場合は非常に限定的である。具体的には、利用状況を通知するために通知システム１０が要する時間は非常に短い。従って、利用状況を通知する間の臨時チャネル群３３Ｂのチャネルの占有時間は、通常の通信中における汎用チャネル群３３Ａのチャネルの占有時間に比べて短い。これにより、臨時チャネル群３３Ｂが通知限界に達し、接続不能となる可能性は低い。
【００２４】
上記したように、臨時チャネル群３３Ｂの空きチャネル数が少なくなる可能性は低く、仮に臨時チャネル群３３Ｂの空きチャネル数が少なくなった場合でもその期間は短い。本実施例においては、この様な場合、すなわち汎用チャネル群３３Ａのうちの利用中のチャネル数が所定数Ｘを超え、かつ臨時チャネル群３３Ｂのうちの利用中のチャネル数が所定数Ｙを超えた場合、サーバ４０の基地局管理部４２Ａは、臨時チャネル群３３Ｂのチャネル数を調整することができる（ステップＳ５０）。
【００２５】
例えば、両チャネル群のうちの利用中のチャネル数が所定数を超えた状態が所定時間継続した場合、基地局管理部４２Ａは、臨時チャネル群３３Ｂのチャネル数を増加することができる。具体的には、サーバ４０が基地局３０に対して臨時チャネル群３３Ｂの一時的な増加を指示する信号を送信する。これによって汎用チャネル群３３Ａの空きチャネルを一時的に臨時チャネル群３３Ｂのチャネルとして利用することができる。従って、より多くの臨時チャネル群３３Ｂのチャネルを用いて利用状況通知処理を行うことが可能となる。これにより、接続不能となる端末２０がさらに減少する。
【００２６】
通知システム１０は、条件分岐Ｊ１０において処理を選択するために、チャネル３３の利用状況、例えば空きチャネル数を定期的に確認する（ステップＳ９０）。この定期確認ステップＳ９０においては、サーバ４０は、基地局３０のチャネル情報を定期的に確認し、基地局情報４４及び局内端末情報４５を随時更新する。チャネルの利用状況の定期確認は、通信処理や利用状況通知処理とは無関係に行われる。
【００２７】
図３は、利用状況を通知するステップＳ２０における端末２０、基地局３０及びサーバ４０の動作フローを示すフロー図である。本実施例においては、端末２０が通常の通信（通話など）を試みた場合について説明する。通知ステップ直前のステップとして、端末２０の通信部２１から接続要求を送信すると、基地局３０がその通信部３１によって接続要求を受信する（ステップ１０）。なお、このときは、基地局３０の汎用チャネル群３３Ａには空きチャネルが少ない（混雑している）状態である。従って、通知システム１０は、基地局３０の臨時チャネル群３３Ｂを用いて端末２０に対する利用状況通知処理を行う。
【００２８】
まず、基地局３０は、その通信部３１によって、端末２０に端末２０の位置情報を要求する（ステップＳ２１）。位置情報の要求を受信した端末２０の通信部２１は、自端末情報２５内の位置情報を取得し（ステップＳ２２Ａ）、取得した位置情報を基地局２０へ送信する（ステップＳ２２）。端末２０の位置情報を受信した基地局３０の通信部３１は、サーバ４０に新規接続通知を行うと共に、端末２０の位置情報を送信する（ステップＳ２３）。
【００２９】
端末２０の新規接続通知及びその位置情報を受信したサーバ４０の通信部４１は、利用状況管理部４２に、チャネルの利用状況を示す情報を要求する（ステップＳ２４）。利用状況管理部４２は、汎用チャネル群３３Ａのうち、利用中のチャネル数が所定数を超えた場合、端末２０に対して臨時チャネル群３３Ｂを用いて送信するチャネル３３の利用状況に関する情報を作成する。利用状況管理部４２は、通信部４１に当該利用情報を送信する（ステップＳ２５）。この送信される利用情報は、基地局の位置及びカバーエリアに関する情報並びに通信中の他の端末の位置情報を含む。利用情報を受け取ったサーバ４０の通信部４１は、基地局３０に利用情報を送信する（ステップＳ２６）。
【００３０】
利用情報を受信した基地局３０の通信部３１は、臨時チャネル群３３Ｂを用いた電波網によって、携帯端末２０に利用情報を送信する（ステップＳ２７）。利用情報を受信した端末２０の通信部２１は、その利用情報を処理部２２に送信する（ステップＳ２８）。処理部２２は、利用状況を示す情報を処理（変換）して表示情報を作成し、表示部２３に表示要求を行う（ステップＳ２９）。表示情報を受け取った表示部２３は、利用状況を示す表示情報（ＤＳ）を表示する。このようにして、サーバ４０の利用状況管理部４２は、汎用チャネル群３３Ａのうち、無線通信に利用中のチャネル数が所定数（Ｘ）を超えた場合、端末２０に対して、臨時チャネル群３３Ｂを用いて汎用チャネル群３３Ａのチャネル３３の利用状況を示す情報を通知（送信）する。
【００３１】
図４（ａ）は、通知システム１０の基地局３０及びサーバ４０の関係を示す図である。サーバ４０は、複数の基地局を同時に管理している。なお、図１（ａ）においては、理解の容易さのため、端末２０を収容する基地局３０のみを示している。本実施例においては、サーバ４０が５つの基地局３０Ａ、３０Ｂ、３０Ｃ、３０Ｄ及び３０Ｅに接続されている場合について説明する。サーバ４０は、基地局３０Ａ乃至３０Ｅの各々にインターネット回線を介して接続されている。サーバ４０は、基地局３０Ａ乃至３０Ｅのそれぞれの情報及びその利用状況を、基地局情報４４及び局内端末情報４５のデータベースとして有している。また、サーバ４０内には、方角や道路情報、距離情報などの地理的情報４６が保管されている。
【００３２】
図４（ｂ）は、サーバ４０内の基地局情報４４のデータベースの詳細を示す表である。サーバ４０内には、基地局情報４４として、基地局毎の汎用チャネル群３３Ａ、そのうちの利用中のチャネル数及び臨時チャネル群３３Ｂの数量などがデータベース化されている。また、基地局毎のカバーエリア（セル）情報が空間座標値として保管されている。例えば、図４（ｂ）に示すように、基地局３０Ａは、１９８００個のチャネルからなる汎用チャネル群３３Ａ及び２００個のチャネルからなる臨時チャネル群３３Ｂを有している。また、基地局３０Ａの１９８００個の汎用チャネル群３３Ａのうち、１５０００個のチャネルが利用されている状態であることがわかる。また、基地局３０Ａのカバーエリアは、図に示す２つの座標値の位置を結ぶ線分を直径とする上面視において円形の領域からなることを示している。
【００３３】
図４（ｃ）は、サーバ４０内の局内端末情報４５のデータベースの詳細を示す表である。サーバ４０内には、基地局毎の通信端末の情報が局内端末情報４５としてデータベース化されている。なお、図には基地局３０Ａにおける局内端末情報４５を示している。図４（ｃ）に示すように、局内端末情報４６は、端末の識別情報（例えば電話番号）、当該端末に割り当てているチャネル番号、及び当該端末の位置情報を含む。例えば、基地局３０Ａ内には、（０９０−１１１１−１１１１）の電話番号で識別された端末が収容されており、この端末との通信には汎用チャネル群３３Ａのうち２９番のチャネルが割り当てられている。また、端末の位置情報が空間座標値によって保管されている。
【００３４】
なお、基地局情報４４及び局内端末情報４５は、チャネルの利用状況の定期確認（ステップＳ９０）が行われる度に更新される。チャネルの利用状況は刻々と変動するため、定期確認ステップＳ９０は、利用状況通知ステップＳ２０及び通信開始ステップＳ３０の途中にも行われることが好ましい。
【００３５】
図５（ａ）は、端末２０の表示部２３に表示される利用状況の一例を示す図である。端末２０は、サーバ４０から受信した利用状況を示す情報を処理部２２によって変換し、表示部２３に表示する。すなわち、サーバ４０から送信される利用状況を示す情報は、通信チャネル３３の利用率を示す文字情報である。例えば、端末２０は、利用状況を文字情報として表示部２３に表示する。具体的には、処理部２２は、利用情報を文字情報に変換し、この文字情報としての表示情報が表示部２３に表示される。
【００３６】
図５（ａ）に示すように、表示部２３には、端末２０の位置するエリアでは当該エリアの基地局３０の回線が混み合っていること、及びそのチャネルの利用率が表示される。これにより、ユーザは、当該エリアのチャネルが混雑していて現在通常の通信ができない状態であることを把握することができる。また、利用率を表示することによって、ユーザは、どの程度回線が混み合っているかを認識することができる。これによって、例えばしばらくして再度接続を試みるかどうかの判断をすることができる。なお、図５（ａ）に示した文は一例に過ぎず、ユーザにチャネルの利用率が高いことを示唆する内容であれば様々な文字情報であってよい。また、混雑率を数値化して表示する必要はない。例えば、利用率を段階的に（例えば３段階、高、中、低などで）表示してもよい。
【００３７】
図５（ｂ）は、端末２０の表示部２３に表示される利用状況の他の例を示す図である。端末２０は、利用状況をマッピング情報として表示部２３に表示することも可能である。すなわち、サーバ４０から送信される利用情報は、複数の基地局内のチャネルの利用状況を示す情報がマッピングされたマッピング情報であってもよい。このマッピング情報には、端末２０（例えば新たに接続要求を行っている端末）の位置情報及び基地局３０と通信中の他端末の位置情報を含む。また、マッピング情報には、基地局３０のカバーエリアの範囲を示す情報が含まれていてもよい。
【００３８】
端末２０は、サーバ４０から基地局３０を介して受け取った利用情報を示すパラメータを処理部２２によってマッピング情報に変換する。また、端末２０は、変換された表示情報を表示部２３によって表示する。この場合、サーバ４０が送信する利用情報のパラメータは、基地局毎の位置情報、カバーエリア内で通信中の他端末の位置情報及び端末２０自身の位置情報を含む。
【００３９】
なお、図５（ｂ）に示すように、表示部２３には、基地局３０Ａ乃至３０Ｅの位置と、基地局の各々のカバーエリア３０Ａ１、３０Ｂ１、３０Ｃ１、３０Ｄ１及び３０Ｅ１と、が地理的情報２５と共にマッピングされて表示される。なお、図の明確さのため、図５には、地理的情報２５のうちの方角情報のみを示している。また、表示部２３には、基地局３０の各々に収容され、通信中の他端末の位置と、自端末の位置とが区別されてドット状に表示されている。本実施例においては通信中の他端末を黒丸の点で示し、自端末を白抜きの四角の点で示している。なお、地理的情報２５は必ずしも表示される必要はない。また、表示部２３には、基地局毎に設定されたカバーエリアが表示されてもよい。また、通信中の他端末の位置情報から算出された実際のカバーエリアが表示部２３に表示されてもよい。
【００４０】
図５（ｂ）に示すように、ユーザは、自身の端末２０が、基地局３０Ａのカバーエリア内に位置していることがわかる。また、ユーザは、基地局３０Ａが混雑していることを明確に認識することができる。従って、ユーザは、自身（自端末）が混雑エリア内にいること、及びその利用状況を視覚的に把握することが可能となる。また、ユーザは、その接続要求時における実際のカバーエリア（セル）の範囲を把握することができる。すなわち、ユーザは、セルブリージングの状況を知ることができる。
【００４１】
また、受信した利用情報には、近隣の基地局３０Ｂ乃至３０Ｅのカバーエリアにおける利用状況が含まれる。従って、表示された近くの基地局３０Ｂ乃至３０Ｅのカバーエリアのうち、混雑していないエリアを把握することも可能となる。例えば、図５（ｂ）に示すように、現在の基地局３０Ａのカバーエリア３０Ａ１の他には、南西の方向にある基地局３０Ｄのカバーエリア３０Ｄ１内においても多数の端末が通信中であることがわかる。一方、それぞれ北西、北東及び南西の方向にある基地局３０Ｂ、３０Ｃ及び３０Ｅには、基地局３０Ｄよりも少ない数の端末が通信中である。従って、ユーザは、例えば南東の方向にある基地局３０Ｅの方向に移動すれば通常の通信が可能となるのではないかと判断することができる。
【００４２】
本実施例においては、基地局３０の通信チャネル３３を汎用チャネル群３３Ａ及び臨時チャネル群３３Ｂに区別する。また、通知システム１０のサーバ４０（利用状況管理部４２）は、汎用チャネル群３３Ａのうち利用中のチャネル数が所定数を超えた場合には、臨時チャネル群３３Ｂを用いて通信チャネルの利用状況を端末２０に通知する。また、臨時チャネル群３３Ｂは利用状況の通知用に用いられる。従って、端末２０が接続不能となる状況が大幅に抑制される。また、汎用チャネル群３３Ａの利用率が高い場合には、ユーザは、端末２０用の回線が混雑していることによって通常の通信ができない状態であることを認識することが可能となる。さらに、他の基地局のカバーエリアにおけるチャネルの利用状況を通知することによって、混雑状況を回避する方法をユーザに示唆することが可能となる。引いては、混雑していないエリア内の余剰な汎用チャネル群３３Ａを利用させ、通常の通信を行うことができる端末数を増加させることが可能となる。
【００４３】
図６は、通知システム１０内におけるチャネルの利用状況の定期確認ステップＳ９０と、ステップＳ９０の後のサーバ４０（基地局管理部４２Ａ）の動作ルーチンを示すフロー図である。図６に示すように、定期確認ステップＳ９０は、利用状況通知処理を行っている状態（ステップＳ２０）での定期確認ステップＳ９０Ａと、通常通信処理を行っている状態（ステップＳ３０）での定期確認ステップＳ９０Ｂとからなる。どちらの定期確認ステップを実行するかによって、サーバ４０の基地局３０に対する指定内容が異なる。
【００４４】
具体的には、通常通信処理中における定期確認ステップＳ９０Ａの後においては、汎用チャネル群３３Ａのうちの利用中のチャネル数が所定数Ｘ以下の場合、サーバ４０の基地局管理部４２Ａは、基地局３０に対して処理切り替え信号を送信しない（ステップＳ９０Ａ１）。すなわちサーバ４０は処理を行わない。一方、通信利用中のチャネル数が所定数（Ｘ）を超えた場合、基地局管理部４２Ａは、基地局３０に利用状況通知処理を行うことを指定する信号を送信する。（ステップＳ９０Ａ２）。利用状況通知処理を行う信号を受信した基地局３０は、臨時チャネル群３３Ｂを開放すると共に、汎用チャネル群３３Ａを閉鎖する（ステップＳ９０Ａ３）。従って、例えばこれ以降に接続要求を受信した端末には、サーバ４０は、基地局３０を介してチャネルの利用状況を通知する。
【００４５】
一方、利用状況通知処理中における定期確認ステップＳ９０Ｂの後においては、汎用チャネル群３３Ａのうちの利用中のチャネル数が所定数Ｚ（第２の所定数、通信可能数）を越えた場合、サーバ４０の基地局管理部４２Ａは、基地局３０に対して処理切り替え信号を送信しない（ステップＳ９０Ｂ１）。すなわちサーバ４０は処理を行わない。一方、利用中のチャネル数が所定数Ｚ以下となった場合、基地局管理部４２Ａは、基地局３０に通常の通信を行うことを指定する信号を送信する（ステップＳ９０Ｂ２）。これは、汎用チャネル群３３Ａのうちの通信利用中のチャネル数が所定数Ｘを超えた（混雑した）後に所定数Ｚに減少した（混雑が緩和された）場合である。通常通信処理を行う信号を受信した基地局３０は、汎用チャネル群３３Ａを開放すると共に、臨時チャネル群３３Ｂを閉鎖する（ステップＳ９０Ｂ３）。従って、例えば、これ以降に接続要求を受信した端末２０に対しては、基地局３０は、汎用チャネル群３３Ａを用いて通常の通信を開始する。このようにして、通知システム１０は、条件分岐Ｊ１０において指定処理の選択を行う。
【００４６】
図７は、チャネルの利用状況の定期的な確認ステップＳ９０における基地局３０及びサーバ４０の動作フローを示すフロー図である。まず、サーバ４０は、その通信部４１によって基地局３０にチャネル状況を要求する（ステップＳ９１）。チャネル状況の要求を受けた基地局３０の通信部３１は、チャネル状況に関する情報をチャネル管理部３２に要求する（ステップＳ９２）。チャネル管理部３２は、チャネル状況を示す情報を取得する（ステップＳ９３）。チャネル管理部３２は、チャネル状況を通信部３１に送信する（ステップＳ９４）。通信部３１は、チャネル状況をサーバ４０に送信する（ステップＳ９５）。
【００４７】
チャネル状況を基地局３０から受信したサーバ４０の通信部４１は、利用状況管理部４２にチャネル情報を送信する（ステップＳ９６）。利用状況管理部４２は、受信した新たなチャネル情報に基づいて利用状況を更新する（ステップＳ９７）。具体的には、利用状況管理部４２は、基地局情報４４及び局内端末情報４５を更新（追加又は削除）する。このようにして、サーバ４０は基地局毎のチャネルの利用状況を定期的に確認する。
【００４８】
次に、図８を用いて、通知システム１０が通常の通信システムとして機能する場合（ステップＳ３０）における接続処理フローについて説明する。ステップＳ３０は、基地局３０の汎用チャネル群３３Ａに空きチャネルが多く存在する場合、すなわち基地局３０が混雑していない場合の処理に対応する。まず、端末２０は通信部２１を介して基地局２０に接続要求を送信し、基地局３０の通信部３１がこの接続要求を受信する（ステップＳ１０）。
【００４９】
基地局３０の通信部３１が端末２０からの接続要求を受信すると、端末番号の認証などの接続処理を端末２０及び基地局３０間で行う（ステップＳ３１）。端末２０との接続処理が完了し、接続が確立されると、基地局３０の通信部３１は、チャネル管理部３２に新規接続通知を行う（ステップＳ３２）。新規接続通知を受理したチャネル管理部３２は、接続された端末２０の位置情報を要求する信号を通信部３１に送信する（ステップＳ３３）。基地局３０の通信部３１は、端末２０に端末２０の位置情報を要求する（ステップＳ３４）。
【００５０】
基地局３０からの位置情報の要求を受信した端末２０の通信部２１は、自端末情報２４のデータベースから自身の位置情報を取得し（ステップＳ３５Ａ）、その位置情報を基地局３０に送信する（ステップＳ３５）。端末２０の位置情報を受信した基地局３０の通信部３１は、サーバ４０に、新規端末接続通知を行う（ステップＳ３６）。ステップＳ３６においては、新規に接続された端末２０の番号及びその位置情報などの端末情報が送信される。
【００５１】
新規接続通知を受信したサーバ４０の通信部４１は、処理部４３に対して端末情報のデータベースへの登録を要求する（ステップＳ３７）。処理部４３は、受信した端末情報を自身のデータベースに登録する処理を行う（ステップＳ３８）。ステップＳ３８においては、処理部４３は、基地局情報４４及び局内端末情報４５のデータベースを更新する。
【００５２】
次に、図９を用いて端末の切断処理フロー（ステップＳ４０）について説明する。本実施例においては、汎用チャネル群３３Ａを用いて通常の通信を行っていた端末２０が通信を終了し、基地局３０に対して切断を要求した場合について説明する。すなわち、例えば端末２０が通話を終了した場合の基地局３０及びサーバ４０の処理フローに対応する。
【００５３】
まず、端末２０はその通信部２１によって基地局３０に切断要求を送信し、基地局３０がこれを受信する（ステップＳ４１）。切断要求を受信した基地局３０の通信部３１は、端末２０との通信の切断処理を行う（ステップＳ４２）。端末２０の切断処理が完了すると、基地局３０の通信部３１は、そのチャネル管理部３２及びサーバ４０に切断通知を行う（ステップＳ４３）。切断通知を受理したチャネル管理部３２は自身のチャネル情報３３を更新する（Ｓ４３Ａ）。
【００５４】
基地局３０から切断通知を受信したサーバ４０の通信部４１は、処理部４３に端末２０の登録削除の要求を行う（ステップＳ４４）。削除要求を受理した処理部４３は、自身のデータベースから端末２０の登録を削除する処理を行う（ステップＳ４５）。ステップＳ４５においては、処理部４３は、基地局情報４４及び局内端末情報４５のデータベースを更新する。
【００５５】
次に、図１０を用いて、接続処理（ステップＳ３０）及び切断処理（ステップＳ４０）におけるサーバ４０の処理部４３の動作について説明する。まず、ステップＳ３７において端末２０の登録要求を受信した場合、処理部４３は、ステップＳ３８において、端末情報を局内端末情報４５のデータベースに登録（追加）する。また、処理部４３は、基地局情報４４（図４（ｂ）などを参照）のデータベースを更新する。次に、処理部４３は、地理的情報４６に端末２０の位置情報を追加する。
【００５６】
次に、ステップＳ４４において端末２０の削除要求を受信した場合、処理部４３は、ステップＳ４５において、端末情報を局内端末情報４５のデータベースから削除する。また処理部４３は、基地局情報４４のデータベースを更新すると共に、地理的情報４６において端末２０の位置情報を削除する。処理部４３は、このようにして端末２０の登録処理及び登録削除処理を随時行っていく。
【００５７】
サーバ４０は、基地局情報４４及び局内端末情報４５のデータベースを更新すると共に、地理的情報４６を更新する。従って、サーバ４０及び端末２０が同様のマッピングアプリケーションを搭載している場合、サーバ４０が端末用表示情報を作成した上でこの表示情報を端末２０に送信することが可能である。この場合、端末２０は処理部２２によってマッピング情報を作成する必要はない。具体的には、利用情報の送信ステップ（ステップＳ２０）において、サーバ４０の処理部４３は、利用状況を示す情報を、端末２０が表示するマッピング情報に変換し、端末２０に送信することが可能である。一方、本実施例のように、端末２０が地理的情報２５を有している場合は、サーバ４０は、利用情報に関するパラメータ、すなわち基地局情報４４及び局内端末情報４５を送信するのみでよい。
【００５８】
図１１は、本実施例の変形例に係る通知システム１０Ａの構成を示す図である。本変形例においては、携帯端末は、無線ＬＡＮアクセスポイント５０を介してインターネット回線に接続されている（端末２０Ａ）。すなわち、端末２０Ａは、基地局３０の電波網によって基地局３０に接続され、インターネット回線を介してサーバ４０に接続されている。その他の構成については実施例１の構成と同様である。端末２０Ａは、例えばＷｉ−Ｆｉ（Wireless Fidelity）などの無線ＬＡＮによってインターネット回線に接続可能なタブレット端末あるいはスマートフォンである。
【００５９】
本変形例においては、サーバ４０は、インターネット回線を用いて、無線ＬＡＮアクセスポイント５０から、端末２０Ａに利用状況を送信することが可能となる。すなわち、サーバ４０は、基地局３０の電波網を用いることなく、また基地局３０を経由することなく、利用情報を端末２０Ａに送信することが可能となる。
【００６０】
図１２は、本変形例の通知システム１０Ａにおけるサービスフローを示すフロー図である。通知システム１０Ａのサービスフローは、汎用チャネル群３３Ａ及び臨時チャネル群３３Ｂの両方の空きチャネル数が少ない場合の処理（ステップＳ６０）を除いては、通知システム１０と同様のフローにて処理を行う。
【００６１】
汎用チャネル群３３Ａ及び臨時チャネル群３３Ｂの両方の空きチャネル数が少ない場合（すなわち、臨時チャネル群のうちの利用中のチャネル数が所定数を超えた場合、条件分岐Ｊ１２がＮｏの場合）、通知システムは基地局３０を介して端末２０との接続を行うことができない。しかし、本変形例においては、ステップＳ６０に示すように、基地局３０の通信チャネル３３を利用するのではなく、インターネット回線を用いて、端末２０Ａに利用状況を送信する。従って、通信チャネル３３全体の空きチャネル数が少ない場合であっても、端末２０Ａは、インターネット回線を介してチャネルの利用状況（例えば混雑状況）を受け取ることが可能となる。具体的には、端末２０Ａは接続形式を無線ＬＡＮモードに切り替え、サーバ４０にアクセスすることで、利用状況を受信することが可能となる。
【００６２】
図１３は、通知システム１０Ａにおけるインターネット回線を用いた利用状況通知ステップＳ６０の詳細な処理フローを示すフロー図である。ステップＳ６０の処理フローは、サーバ４０からの利用状況の送信が基地局３０に対してではなく端末２０Ａに対して行われることを除いては、ステップＳ２０と同様のフローにて行われる。まず、基地局３０は端末２０からの接続要求を受信する（ステップＳ１０）。
【００６３】
接続要求を受信した基地局３０は、端末２０Ａにその位置情報を要求する（ステップＳ６１）。位置情報の要求を受信した端末２０Ａの通信部２１は、自端末情報２５のデータベースから位置情報を取得し（ステップＳ６２Ａ）、基地局３０に送信する。位置情報を受信した基地局３０は、サーバ４０に新規接続通知を行うと共に、端末２０Ａの位置情報を送信する（ステップＳ６２）。新規接続通知を受信したサーバ４０の通信部４１は、利用状況管理部４２に利用状況を示す情報を要求する（ステップＳ６４）。利用状況管理部４２は、通信部４１に利用情報を送信する（ステップＳ６５）。
【００６４】
利用情報を受け取った通信部４１は、インターネット回線を用いて端末２０に利用情報を送信する（ステップＳ６６）。この際、端末２０は基地局３０との接続が確立されていない（例えば圏外）状態であるので、端末２０は接続形式を無線ＬＡＮモードに切り替える。そして、端末２０は無線ＬＡＮアクセスポイント５０を介してサーバ４０から利用状況を受信する。
【００６５】
利用情報を受信した端末２０の通信部２１は利用情報を処理部２２に送信し（ステップＳ６７）、処理部２２はこれを表示情報に変換した上で、表示部２３に表示要求を行う（ステップＳ６８）。表示部２３は、処理部２２からの表示情報を利用状況として表示する（ＤＳ）。このように、サーバ４０は、インターネット回線を用いて端末２０Ａに利用状況を送信することができる。
【００６６】
なお、本変形例においては、端末２０Ａが基地局３０との電波網による接続と、無線ＬＡＮによるインターネット回線を用いたサーバ４０との両方の接続方式を有する場合について説明した。しかし、端末２０Ａは、例えば無線ＬＡＮによる接続方式のみを有していてもよい。例えば、端末２０Ａは、サーバ４０に対して利用状況の要求を行い、利用情報を入手した上で、その表示部２３に利用状況を表示することも可能である。
【００６７】
また、上記においては、基地局３０及びサーバ４０の全体が通知システム１０又は１０Ａとして動作する場合について説明した。しかし、サーバ４０が基地局３０に対して通常の通信や利用状況の通知を行う処理を指定する態様においては、サーバ４０単体でも発明の課題を解決することが可能である。具体的には、サーバ４０が上記した機能を有していれば、接続不能となる端末が抑制され、通常の通信状態を確立できない端末に対して利用状況を通知することが可能となる。すなわち、サーバ４０は、回線混雑時において、実施例１のように利用状況の通知を行う信号を基地局３０に送信するか、又はその変形例のように直接端末２０Ａに利用情報を送信することが可能である。従って、基地局３０及びサーバ４０が通知システムとして機能する場合、並びにサーバ４０が利用状況通知（送信）サーバとして機能する場合の両方の態様をとることが可能である。
【００６８】
なお、サーバ４０は、基地局３０に接続されていれば、いずれの場所に配置されていてもよい。例えば、サーバ４０は、既存の無線ネットワーク制御装置内に設けられていてもよい。既存の無線ネットワーク制御装置内にサーバ４０が設けられる場合、サーバ４０は、既存の無線ネットワーク制御装置の接続管理処理（例えば基地局のハンドオーバー処理及びハンドオフ処理）などと連携することが容易となる。例えば既存の無線ネットワーク制御装置と協働して、汎用チャネル群の空きチャネルが多い基地局３０に端末を受け渡す処理を行うことが可能となる。このようにして、複数の基地局内のチャネル管理を既存の無線ネットワーク制御装置と連携して行ってもよい。
【００６９】
なお、本実施例においては、混雑時において端末２０が基地局３０に対して新たに接続要求を行った場合についての通知システム１０及びサーバ４０の処理について説明したが、通知システム１０及びサーバ４０が通知する対象となる端末は、基地局３０に対して新たに接続要求を行った端末２０に限定されるものではない。また、同様に、混雑が緩和された場合に基地局管理部４２Ａによって通信開始が指定され、通信が開始される端末は、基地局３０に対して新たに接続要求を行った端末２０に限定されるものではない。
【００７０】
例えば、既に汎用チャネル群３３Ａによって接続状態にある端末２０（すなわち既に基地局３０との通信を行っている端末）に対して、通知システム１０及びサーバ４０が基地局３０の利用状況に関連する情報を通知してもよい。また、通知システム１０及びサーバ４０は、未接続の端末２０（すなわち基地局３０との通信を行っておらず、新たに接続要求を行ってもいない端末）に対して利用状況に関連する情報を通知してもよい。また、当該情報は、通信混雑に応じて端末２０に通知したい情報を含んでいてもよい。
【実施例２】
【００７１】
図１４（ａ）は、実施例２に係るサーバ用プログラムの構成を示すブロック図であり、図１４（ｂ）は、端末用プログラムの構成を示すブロック図である。本実施例においては、プログラムＰＳは、サーバを実施例１のサーバ４０として機能させる。また、プログラムＰＴは、携帯端末を実施例１の端末２０又は変形例の端末２０Ａとして機能させる。
【００７２】
具体的には、プログラムＰＳがサーバにインストールされた場合、当該サーバは、サーバ４０の通信部（通信手段）４１、利用状況管理部（利用状況管理手段）４２、基地局管理部（基地局管理手段）４２Ａ及び処理部（処理手段）４３として機能する。また、プログラムＰＴが携帯端末にインストールされた場合、当該携帯端末は、端末２０の通信部（通信手段）２１、処理部（処理手段）２２及び表示部（表示手段）２３として機能する。なお、上記したように、プログラムＰＳによって処理部４３として機能するサーバは、利用状況を示す情報を、端末が表示する表示情報（例えば文字情報又はマッピング情報）に変換することができる。
【００７３】
具体的には、プログラムＰＴによって、端末は、基地局３０との通信を行い、サーバ４０から送信された基地局３０における通信チャネル３３の利用状況を示す情報を受信する通信手段２１として機能する。また、端末は、臨時チャネル３３Ｂを用いて受信した汎用チャネル３３Ａの利用状況を示す情報を表示情報に変換する処理手段として機能する。また、端末２０は、この表示情報を文字情報又はマッピング情報として表示する表示手段として機能する。従って、プログラムＰＳ及びＰＴによって、様々なサーバ及び携帯端末を利用状況通知（送信）手段及び利用状況受信（表示）手段として機能させることが可能となる。
【符号の説明】
【００７４】
１０  情報通知システム
２０、２０Ａ  携帯端末
２１  通信部
２２  処理部
２３  表示部
３０、３０Ａ、３０Ｂ、３０Ｃ、３０Ｄ、３０Ｅ  基地局
３１  通信部
３２  チャネル管理部
３３  通信チャネル
３３Ａ  汎用チャネル群（第１のチャネル群）
３３Ｂ  臨時チャネル群（第２のチャネル群）
４０  サーバ
４１  通信部
４２  利用状況管理部
４２Ａ  基地局管理部
４３  処理部
【図１】
2015192375.tif 000003
【図２】
2015192375.tif 000004
【図３】
2015192375.tif 000005
【図４】
2015192375.tif 000006
【図５】
2015192375.tif 000007
【図６】
2015192375.tif 000008
【図７】
2015192375.tif 000009
【図８】
2015192375.tif 000010
【図９】
2015192375.tif 000011
【図１０】
2015192375.tif 000012
【図１１】
2015192375.tif 000013
【図１２】
2015192375.tif 000014
【図１３】
2015192375.tif 000015
【図１４】
2015192375.tif 000016